【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
超音波エネルギーを作動位置に搬送し、前記作動位置において超音波エネルギーを少なくとも１つの物品に与えるための超音波ホーン組立体であって、
超音波ホーン、超音波エネルギーブースター及び超音波エネルギーコンバータからなるグループから選択された、金属である、少なくとも１つの伝達面を有する第１のスタック部材と、
少なくとも１つの伝達面を有する第２のスタック部材と、を備え、
前記第２のスタック部材の前記少なくとも１つの伝達面が、前記第１及び第２のスタック部材の一方から他方に超音波エネルギーを伝達するための境界面において、該第１のスタック部材の前記伝達面に係合するようになっており、前記第２のスタック部材は金属であり、超音波ホーン、超音波エネルギーブースター及び超音波エネルギーコンバータからなるグループから選択されており、前記第１と第２のスタック部材は同一の成分ではないものであり、
前記第１スタック部材と第２のスタック部材との金属溶融部からなる、前記第１及び第２のスタック部材を相互に一体的に接続する前記境界面における溶融ゾーンと、が設けられたことを特徴とする超音波ホーン組立体。
【請求項２】
超音波エネルギーを作動位置に搬送し、前記作動位置において超音波エネルギーを少なくとも１つの物品に与えるための超音波ホーン組立体であって、
金属である、少なくとも１つの伝達面を有する第１のスタック部材と、
前記第１のスタック部材とは異なる少なくとも１つの伝達面を有する第２のスタック部材と、を備え、前記第２のスタック部材の前記少なくとも１つの伝達面が、前記第１及び第２のスタック部材の一方から他方に超音波エネルギーを伝達するための境界面において、該第１のスタック部材の前記伝達面に係合するようになっており、前記第２のスタックは金属であり、
前記第１のスタック部材と該第２のスタック部材との金属溶融部からなる、前記第１及び第２のスタック部材を相互に一体的に接続する前記境界面における溶融ゾーンと、
該溶融ゾーンを通って延び、前記第１及び第２のスタック部材を、それらの伝達面を係合させた状態で相互に接続させるようになったコネクタと、を備えることを特徴とする超音波ホーン組立体。
【請求項３】
前記境界面において前記溶融ゾーンを通って延び、前記第１及び第２のスタック部材を、それらの伝達面を係合させた状態で締まり嵌めによって相互に接続させるようになった固体ピンを備えることを特徴とする、請求項１に記載の超音波ホーン組立体。
【請求項４】
超音波エネルギーを作動位置に搬送し、前記作動位置において超音波エネルギーを少なくとも１つの物品に与えるための超音波ホーン組立体であって、
金属である、少なくとも１つの伝達面を有する第１のスタック部材と、
前記第１のスタック部材とは異なる少なくとも１つの伝達面を有する第２のスタック部材と、を備え、前記第２のスタック部材の前記少なくとも１つの伝達面が、前記第１及び第２のスタック部材の一方から他方に超音波エネルギーを伝達するための境界面において、該第１のスタック部材の前記伝達面に係合するようになっており、前記第２のスタックは金属であり、
前記第１のスタック部材と第２のスタック部材との金属溶融部からなる、前記第１及び第２のスタック部材を相互に一体的に接続する前記境界面における溶融ゾーンと、からなり、
前記第１のスタック部材が超音波ホーンであり、前記第２のスタック部材が超音波エネルギー・ブースターであることを特徴とする超音波ホーン組立体。
【請求項５】
前記溶融ゾーンを通って延び、前記第１及び第２のスタック部材を、それらの伝達面を係合させた状態で相互に接続させるようになったコネクタを備えることを特徴とする、請求項４に記載の超音波ホーン組立体。
【請求項６】
前記境界面において前記溶融ゾーンを通って延び、前記第１及び第２のスタック部材を、それらの伝達面を係合させた状態で締まり嵌めによって相互に接続させるようになった固体ピンを備えることを特徴とする、請求項４に記載の超音波ホーン組立体。
【請求項７】
前記第１のスタック部材が超音波エネルギー・ブースターであり、前記第２のスタック部材が超音波エネルギー・コンバータであることを特徴とする、請求項１に記載の超音波ホーン組立体。
【請求項８】
前記境界面において前記溶融ゾーンを通って延び、前記第１及び第２のスタック部材を、それらの伝達面を係合させた状態で締まり嵌めによって相互に接続させるようになった固体ピンを備えることを特徴とする、請求項７に記載の超音波ホーン組立体。
【請求項９】
前記溶融ゾーンを通って延び、前記第１及び第２のスタック部材を、それらの伝達面を係合させた状態で相互に接続させるようになったコネクタを備えることを特徴とする、請求項７に記載の超音波ホーン組立体。
【請求項１０】
超音波エネルギーを作動位置に搬送し、前記作動位置において超音波エネルギーを少なくとも１つの物品に与えるための超音波ホーン組立体であって、
超音波エネルギーブースターおよび超音波エネルギーコンバータからなるグループから選択され、金属である、第１のスタック部材と、
前記第１の部材を取付ハウジングに取り付け、該スタック部材を懸架状態に支持するための隔離用リング・シェルと、
を備え、
前記隔離用リング・シェルは、前記第１のスタック部材とは別個のものであり、境界面において該第１のスタック部材に接続され、
前記隔離用リング・シェルと前記第１のスタック部材とを相互に一体的に接続する前記境界面における溶融ゾーンが、該隔離用リング・シェルと該第１のスタック部材との金属溶融部からなる、
ことを特徴とする超音波ホーン組立体。
【請求項１１】
前記第１のスタック部材が超音波エネルギー・ブースターであることを特徴とする、請求項１０に記載の超音波ホーン組立体。
【請求項１２】
前記隔離用リング・シェルと前記第１のスタック部材とは、異なる材料から製造されることを特徴とする、請求項１０に記載の超音波ホーン組立体。
【請求項１３】
超音波エネルギーを作動位置に搬送し、前記作動位置において超音波エネルギーを少なくとも１つの物品に与える超音波ホーン組立体を製造するための方法であって、
第１のスタック部材の伝達面を第２のスタック部材の伝達面と係合させて、該スタック部材間に境界面を定め、前記第１および第２のスタック部材は、超音波ホーン、超音波エネルギーブースター及び超音波エネルギーコンバータからなるグループから選択された、金属であり、前記第１および第２のスタックは同一の成分からなるものではなく、
前記第１のスタック部材の前記伝達面を前記第２のスタック部材の前記伝達面と冶金的に溶融させて、該スタック部材間の前記境界面に溶融ゾーンを形成する、
ステップを含むことを特徴とする方法。
【請求項１４】
超音波エネルギーを作動位置に搬送し、前記作動位置において超音波エネルギーを少なくとも１つの物品に与える超音波ホーン組立体を製造するための方法であって、
第１のスタック部材の伝達面を第２のスタック部材の伝達面と係合させて、該スタック部材間に境界面を定め、
前記第１のスタック部材の前記伝達面を前記第２のスタック部材の前記伝達面と冶金的に溶融させて、該スタック部材間の前記境界面に溶融ゾーンを形成する、段階からなり、前記冶金的な溶融が熱間等静圧圧縮成形からなることを特徴とする方法。
【請求項１５】
前記第１のスタック部材が超音波エネルギー・コンバータであり、前記第２のスタック部材が超音波エネルギー・ブースターであることを特徴とする、請求項１４に記載の方法。
【請求項１６】
前記第１のスタック部材が超音波エネルギー・ブースターであり、前記第２のスタック部材が超音波エネルギー・ブースターであることを特徴とする、請求項１４に記載の方法。
【請求項１７】
前記第１のスタック部材が超音波エネルギー・ブースターであり、前記第２のスタック部材が超音波ホーンであることを特徴とする、請求項１４に記載の方法。
【請求項１８】
前記第１のスタック部材が超音波エネルギー・ブースターであり、前記第２のスタック部材が隔離用リング・シェルであることを特徴とする、請求項１４に記載の方法。
【請求項１９】
超音波エネルギーを作動位置に搬送し、前記作動位置において超音波エネルギーを少なくとも１つの物品に与える超音波ホーン組立体を製造するための方法であって、
超音波ホーン組立体の部材を取付ハウジングに取り付け、前記部材を懸架状態に支持するようになった隔離用リング・シェルを、前記隔離用リング・シェルの表面が境界面において該部材の表面に係合するように、前記超音波ホーン組立体の該部材に装着し、前記超音波ホーン組立体は、金属であり、超音波エネルギーブースターおよび超音波エネルギーコンバータから選択されるようになっており、
前記隔離用リング・シェルを前記部材に冶金的に溶融させて、前記境界面に溶融ゾーンを形成する、
ステップを含むことを特徴とする方法。
【請求項２０】
前記超音波ホーン組立体の部材が超音波エネルギー・ブースターであることを特徴とする、請求項１９に記載の方法。